(57)【要約】      （修正有）【課題】プリント写真収納ケースとして利用できるとともに、プリント写真を飾る写真立てに変化させることもできる写真立てに変化可能なプリント写真収納袋を提供する。【解決手段】合成樹脂シート製の表裏面１０ａ、１０ｂからなり、一辺に写真挿入口を有するとともに残りの三辺が閉じられた四角形状をした袋であり、袋の表裏面の一方の面には、写真挿入口側の一辺の中心部から一辺に直交して折曲げ用罫線１４が形成され、袋の表裏面の他方の面には、折曲げ用罫線に対応する位置に写真挿入口側の一辺に直交して少なくとも１本の切離し用罫線が形成され、切離し用罫線により互いに切離される他方の面部分には、折曲げ用罫線に沿って折曲げられた切離された面部分を互いに係合させる係合部が形成されている。【選択図】図４
0003148275.tif 000002
【実用新案登録請求の範囲】
【請求項１】
合成樹脂シート製の表裏面からなり、一辺に写真挿入口を有するとともに残りの三辺が閉じられた四角形状をした袋であり、
該袋の前記表裏面の一方の面には、前記写真挿入口側の一辺の中心部から該一辺に直交して折曲げ用罫線が形成され、
該袋の前記表裏面の他方の面には、前記折曲げ用罫線に対応する位置に前記写真挿入口側の前記一辺に直交して少なくとも１本の切離し用罫線が形成され、
該切離し用罫線により互いに切離される前記他方の面部分には、前記折曲げ用罫線に沿って折曲げられた該切離された面部分を互いに係合させる係合部が形成されていることを特徴とする写真立てに変化可能なプリント写真収納袋。
【請求項２】
前記係合部は、互いに切離される前記他方の面部分の一方に形成された第１の係合部、および互いに切離される前記他方の面部分の他方に形成され第１の係合部と係合する第２の係合部からなり、
第１の係合部は第１の半円状切込みと第２の半円状切込みとからなり、前記第１の半円状切込みの端部を連結する第１の半径線は前記切離し用罫線に平行し、該第２の半円状切込みの端部を連結する第２の半径線は前記切離し用罫線に平行しており、該第２の半径線が前記第１の半径線上に位置しており、前記第２の半円状切込みは第１の半円状切込みよりも小さい半径であり、前記第１の半円状切込みと第２の半円状切込みとは第１および第２の半径線に関して互いに逆の方向を向いており、
前記第２の係合部は、前記切離し用罫線に平行しており、前記第１の半円状切込みの端部を連結する第１の半径線が通過する長さを有していることを特徴とする請求項１に記載の写真立てに変化可能なプリント写真収納袋。
【請求項３】
合成樹脂シート製の表裏面からなり、一辺に写真挿入口を有するとともに残りの三辺が閉じられた四角形状をした袋であり、
該四角形状をした収納袋の閉じられた三辺のうちの写真挿入口に対向する辺に沿って切離し用罫線が形成されており、
該袋の前記表裏面の一方の面には、前記写真挿入口側の一辺の中心部から該一辺に直交して折曲げ用罫線が形成され、
該袋の前記表裏面の他方の面には、前記折曲げ用罫線に対応する位置に前記写真挿入口側の前記一辺に直交して少なくとも１本の切離し用罫線が形成され、
該切離し用罫線により互いに切離される前記他方の面部分には、前記折曲げ用罫線に沿って折曲げられた該切離された面部分を互いに係合させる係合部が形成されていることを特徴とする写真立てに変化可能なプリント写真収納袋。
【請求項４】
前記係合部は、互いに切離される前記他方の面部分の一方に形成された第１の係合部、および互いに切離される前記他方の面部分の他方に形成され第１の係合部と係合する第２の係合部からなり、
第１の係合部は第１の半円状切込みと第２の半円状切込みとからなり、前記第１の半円状切込みの端部を連結する第１の半径線は前記切離し用罫線に平行し、該第２の半円状切込みの端部を連結する第２の半径線は前記切離し用罫線に平行しており、該第２の半径線が前記第１の半径線上に位置しており、前記第２の半円状切込みは第１の半円状切込みよりも小さい半径であり、前記第１の半円状切込みと第２の半円状切込みとは第１および第２の半径線に関して互いに逆の方向を向いており、
前記第２の係合部は、前記切離し用罫線に平行しており、前記第１の半円状切込みの端部を連結する第１の半径線が通過する長さを有していることを特徴とする請求項４に記載の写真立てに変化可能なプリント写真収納袋。
【請求項５】
前記折曲げ用罫線が形成された面には、該折曲げ用罫線の両側にそれぞれ写真を装着する罫線が形成されていて２枚の写真が装着可能であることを特徴とする請求項１〜４の何れか１項に記載の写真立てに変化可能なプリント写真収納袋。
【請求項６】
互いに切離される前記他方の面部分の各々には前記切離し用罫線に平行して写真の高さに対応した写真係止用の切離し罫線が形成され、該写真係止用の切離し罫線に写真を装着可能としていることを特徴とする請求項３または４に記載の写真立てに変化可能なプリント写真収納袋。
【請求項７】
前記四角形状をした袋の写真挿入口の外側部分が切離し用罫線に沿って切離し可能であることを特徴とする請求項１〜６の何れか１項に記載の写真立てに変化可能なプリント写真収納袋。
【考案の詳細な説明】
【技術分野】
【０００１】
本考案は、写真立てに変化可能なプリント写真収納袋に関する。より詳しくは、本考案は、例えば、同時プリント店からプリント写真とネガフイルムとを収納して顧客に返却するときに用いられるプリント写真収納袋、または、デジタルカメラのメモリーからペーパーに焼付けたプリント写真を顧客に返却するときに用いられるプリント写真収納袋などであって、写真立てに変化させて使用可能なプリント写真収納袋に関する。
【背景技術】
【０００２】
ＤＰ（現像・焼付け）取次店は、同時プリントの依頼を受け付けると、上部が開口したＤＰ袋に顧客の氏名や仕上がり内容等を記入し、この中に露光済みのフイルムが巻き込まれたパトローネを入れて現像所に送る。現像所では、パトローネから露光済みフイルムを引き出し、このパトローネを現像装置にセットして現像処理する。現像済みネガフイルムは写真プリンタにセットされ、プリントされる。プリント後に、プリント写真とネガフイルムとをプリント写真収納袋に収納して顧客に返却する。
【０００３】
しかしながら、現在プリント写真やネガケースを収納して返却しているプリント袋は、薄手の紙を折り曲げて糊付けしたものであり、これにパトローネを収納するのは強度的に無理があり、収納されたパトローネがエッジ部分で袋を破いたり、この破いた部分から落下してパトローネが破損するなどの問題が生じ得る。また、パトローネをそのまま入れたのでは、プリント袋の形が相当変形して体裁が悪いという問題もある。
【０００４】
特許文献１（特開平７−１１０５６７号公報）は、上記問題点に鑑みてなされたもので、現像済みのネガフイルムを巻き込んだパトローネとプリント写真とを同時にケース本体に収納しフラップで覆い、これらを顧客に返却するようにして取り扱いが簡便になるようにしたプリント写真収納ケースを提供することを目的としている。
【０００５】
ところで、特許文献１に開示されたようなプリント写真収納袋を製造するにあたっては、限りなく廉価であることが要求される。このように低廉なプリント写真収納袋を製造する場合には、できるだけ製造工数を削減して、また原材料となるシート状の紙からできるだけ多くの枚数を型紙どおりに型抜きすることができることが望まれる。さらに、このようなプリント写真収納袋は多機能型であることも望まれる。
【０００６】
しかしながら、このプリント写真収納袋を製造するにあたっては、シートに型紙を印刷する印刷工程、その印刷された型紙どおりに型抜きを行なう型抜き工程、さらに型抜きされた多数の工程が必要になり、この工程の数が増えれば増えるほど製造に係る原価が上がるという問題がある。また、糊付け用の糊代を型紙に設けるとなると、一枚の展開シートを少々大きめにしなければならないため、原材料のシート一枚から取れる展開シートの枚数が減ってしまい、製造に係る原価がさらに上がってしまうという問題がある。またこのようなプリント写真収納袋は、プリント写真を収納する袋以外の用途では極めて制限される。
【０００７】
また、ユーザがＤＰＥショップなどに写真を受け取りに行くと、持ち運びに便利なようにプリント写真収納袋に収納されたプリント写真がユーザに手渡される。このようなプリント写真収納袋の中には、焼き増しを行ないやすいようにインデックスプリントを収納することができるようにして多機能化を図ったものもある。
【０００８】
特許文献２（特開平１１−２９２０８６号公報）は、ユーザーの手間を煩わすことなく、３５ミリフィルムとインデックスプリントとを一体に整理保管でき、ファイリングも可能とするポリ塩化ビニル製やポリエチレン製の透明シートからなる収納袋を提供することを目的とするものである。
【０００９】
特許文献３（特開２００６−３４１０公報）には、印刷した型どおりに型抜きを行なって展開シートを得るときに折筋を同時に設けるようにして製造の簡素化を図り、型抜きされた展開シートを折筋に沿って折り曲げることでプリント写真収納袋としたり、切込みに差込み部を挿入して写真立てとしたりすることができるプリント写真収納袋にし、さらに、折筋に沿って逆方向に折り曲げることで封書にすることができるようにもして、このプリント写真収納袋の多機能化を図り、多機能であり、かつ低廉であるプリント写真収納袋を提供することを目的としている。
【特許文献１】特開平７−１１０５６７号公報
【特許文献２】特開平１１−２９２０８６号公報
【特許文献３】特開２００６−３４１０号公報
【考案の開示】
【考案が解決しようとする課題】
【００１０】
特許文献１に開示されたプリント写真収納ケースはプリント写真とパトローネとを一緒に収納するものであり、プリント写真を収納する袋以外の用途としては極めて制限され、プリント写真の写真立て（フォットスタンド）として使用することはできない。
【００１１】
また、特許文献２に開示されたプリント写真収納袋は、プリント写真と３５ミリフィルムとインデックスプリントとを一緒に収納するものであり、プリント写真のファイリングも可能とするものであるが、プリント写真の写真立て（フォットスタンド）として使用することはできない。
【００１２】
特許文献３に開示されたプリント写真収納袋は型抜きされた展開シートを折筋に沿って折り曲げることでプリント写真収納袋としたり、切込みに差込み部を挿入して写真立てとしたりすることができる。しかし、型抜きされた展開シートを折筋に沿って折り曲げるため、組立てが面倒である。また、切込みに差込み部を挿入して、写真立てに組み立てるため、差込み部が切込みから抜けることにより、写真立てが変形して飾っていた写真が落下したりする。
【００１３】
本考案は上述したような従来技術に付随する問題点を解決して、プリント写真収納ケースとして利用できるとともに、プリント写真を飾る写真立てに簡単に変化させることもできる写真立てに変化可能なプリント写真収納袋を提供することを目的とする。
【００１４】
さらに、本考案は、このようにして得られた写真立ての形状がしっかりと維持されて、写真立てが容易に変形することかなく、飾っていた写真が落下したりすることがない写真立てに変化可能なプリント写真収納袋を提供することを目的とする。
【課題を解決するための手段】
【００１５】
本考案においては、上記目的を、合成樹脂シート製の表裏面からなり、一辺に写真挿入口を有するとともに残りの三辺が閉じられた四角形状をした袋であり、
該袋の前記表裏面の一方の面には、前記写真挿入口側の一辺の中心部から該一辺に直交して折曲げ用罫線が形成され、
該袋の前記表裏面の他方の面には、前記折曲げ用罫線に対応する位置に前記写真挿入口側の前記一辺に直交して少なくとも１本の切離し用罫線が形成され、
該切離し用罫線により互いに切離される前記他方の面部分には、前記折曲げ用罫線に沿って折曲げられた該切離された面部分を互いに係合させる係合部が形成されていることを特徴とする写真立てに変化可能なプリント写真収納袋により達成する。
【００１６】
なお、本考案のプリント写真収納袋に用いる合成樹脂シートはポリエチレン、ポリプロピレン、ポリ塩化ビニルなどとすることができる。
【００１７】
さらに、本考案においては、前記四角形状をした収納袋の閉じられた三辺のうちの写真挿入口に対向する辺に沿って切離し用罫線が形成されているとすることもできる。
【００１８】
また、本考案の罫線とは、シートの厚さ方向に所定深さの切込みを入れ、または罫線の長さ方向に断続した切れ目を入れた所謂ミシン目やマイクロミシン目などを言う。その罫線に沿ってシートを切離すことができるものを「切離し用罫線」と称し、その罫線に沿ってシートを折曲げることができるものを「折曲げ用罫線」と称している。
【００１９】
本考案の前記係合部は、互いに切離される前記他方の面部分の一方に形成された第１の係合部、および互いに切離される前記他方の面部分の他方に形成され第１の係合部と係合する第２の係合部からなり、
第１の係合部は第１の半円状切込みと第２の半円状切込みとからなり、前記第１の半円状切込みの端部を連結する第１の半径線は前記切離し用罫線に平行し、該第２の半円状切込みの端部を連結する第２の半径線は前記切離し用罫線に平行しており、該第２の半径線が前記第１の半径線上に位置しており、前記第２の半円状切込みは第１の半円状切込みよりも小さい半径であり、前記第１の半円状切込みと第２の半円状切込みとは第１および第２の半径線に関して互いに逆の方向を向いており、
前記第２の係合部は、前記切離し用罫線に平行しており、前記第１の半円状切込みの端部を連結する第１の半径線が通過する長さを有していることが好ましい。
【００２０】
なお、本考案では、「第２の半径線が第１の半径線上に位置」するとは、両半径線が精密に合致している場合だけではなく、両半径線が多少ずれているものも含む。
【００２１】
本考案の第１の半円状切込みと第２の半円状切込みは円の２分の１程度の円弧でもよいし、楕円の一部分でもよいし、それらの中間程度でもよい。
【００２２】
また、本考案においては、互いに切離される前記他方の面部分の各々には前記切離し用罫線に平行して写真の高さに対応した写真係止用の切離し罫線が形成され、該写真係止用の切離し罫線に写真を装着可能としていることが好ましい。
【００２３】
さらに、本考案においては、前記四角形状をした収納袋の閉じられた三辺のうちの写真挿入口に対向する辺に沿って切離し用罫線が形成されていて一枚のシートを切離し用罫線に沿って二つ折りし、その二つ折りしたシートを切離し用罫線に沿って切離すようにすることが好ましい。
【００２４】
または、本考案においては、前記四角形状をした収納袋の閉じられた三辺のうちの写真挿入口に対向する辺に沿って折曲げ用罫線が形成されていて一枚のシートを折曲げ用罫線に沿って二つ折りし、その二つ折りしたシートに折曲げ用罫線に平行に切離し用罫線を設け、この切離し用罫線に沿って切離すようにしてもよい。
【００２５】
さらに、１枚のシートに代えて、２枚のシートを用い、三辺を結合するとともに四角形状をした収納袋の結合されて閉じられ三辺のうちの写真挿入口に対向する辺に沿って切離し用罫線を設け、この切離し用罫線に沿って切離すようにしてもよい。
【００２６】
本考案においては、前記折曲げ用罫線が形成された面には、該折曲げ用罫線の両側にそれぞれ写真を装着する罫線が形成されていて２枚の写真が装着可能としてもよい。
【００２７】
また、本考案においては、前記四角形状をした袋の写真挿入口の外側部分が切離し用罫線に沿って切離し可能として写真立てに変化させるときに収納袋の上部を除去できるようにしてもよい。
【考案の効果】
【００２８】
本考案によれば、プリント写真収納ケースとして利用できるとともに、プリント写真を飾る写真立てに変化させることもできる写真立てに変化可能なプリント写真収納袋が提供される。
【００２９】
本考案のプリント写真収納ケースは合成樹脂シート製であるので、プリント写真収納袋として使用するときも写真立てとして使用するときも、十分な強度を有し、しっかりとしている。
【００３０】
さらに、本考案によれば、このようにして得られた写真立ての形状がしっかりと維持されて、写真立てが容易に変形することがなく、飾っていた写真が落下したりすることがない写真立てに変化可能なプリント写真収納袋を提供される。
【００３１】
特に、本考案のプリント写真収納袋の傾向部が、第１の半円状切込みと第２の半円状切込みとからなる第１の係合部、および第１の半円状切込みの端部を連結する第１の半径線が通過する長さを有している第２の係合部を具備することにより、第１の係合部の第１の半円状切込みと第２の半円状切込みが第２の係合部を越えて突出し、恰もリベット締めした状態となるので、第１の係合部および第２の係合部がしっかりと係合し、簡単に外れることがない。
【００３２】
本考案の第１の半円状切込みと第２の半円状切込みは円の２分の１程度の円弧でもよいし、楕円の一部分でもよいし、それらの中間程度でもよい。このような半円状切込みを第１の係合部の第１および第２の切込みとして採用することにより、第２の係合部への第１の係合部の第１および第２の切込みの挿入が極めて容易に行えて好ましい。
【考案を実施するための最良の形態】
【００３３】
以下、添付図面を参照して本考案を詳細に説明する。図１〜図４は本考案の第１実施例を示し、図１は本考案の第１実施例のプリント写真収納袋を示し、（ａ）はプリント写真収納袋の表面を示し、（ｂ）はプリント写真収納袋の裏面を示す。図２は本考案の第１実施例を写真立てに組立てた状態を示し、（ａ）は平面図を示し、（ｂ）は正面図を示す。図３は本考案の係合部の近傍のみを示し、（ａ）、（ｂ）、（ｄ）、（ｆ）は係合手順を時系列的に示す平面図であり、（ｃ）、（ｅ）、（ｇ）はそれぞれ（ｂ）、（ｄ）、（ｆ）を水平方向に切断し上から見た断面図であり、シートの厚さは誇張して示している。図４は、本考案の第１実施例のプリント写真収納袋を写真立てに組立てる手順を、（ａ）、（ｂ）、（ｃ）、（ｄ）の順に時系列的に示す図である。
【００３４】
図１は本考案の第１実施例のプリント写真収納袋を示し、図１においてプリント写真収納袋はポリエチレン、ポリプロピレン、ポリ塩化ビニルなどの合成樹脂シート製であり、厚みが１５０μ〜８００μであり、好ましくは、１５０μ〜５００μである。
【００３５】
このような合成樹脂シートからなる１枚のシートを罫線１２に沿って２つに折曲げて（ａ）に示す表面用シート１０ａおよび（ｂ）に示す裏面用シート１０ｂとしている。
【００３６】
なお、罫線１２は、罫線１２に沿ってシートを折曲げ可能であるとともに、罫線１２に沿ってシートを表面用シート１０ａおよび裏面用シート１０ｂに切離すことが可能となっている。
【００３７】
罫線１２に沿って切離す代わりに、罫線１２に平行し、その上側に表裏用シートの１０ａ、１０ｂの切離し用罫線（図示せず）を形成して、切離し用罫線に沿って底部を切離してもよい。
【００３８】
本考案の罫線とは、シートの厚さ方向に所定深さの切込み（所謂ハーフカット）を入れ、または罫線の長さ方向に断続した切れ目を入れた所謂ミシン目やミシン目が非常に細かな所謂マイクロミシン目などを言う。その罫線に沿ってシートを切離すことができるものを「切離し用罫線」と称し、図１においては破線で示している。その罫線に沿ってシートを折曲げることができるものを「折曲げ用罫線」と称し、図１においては一点鎖線で示している。
【００３９】
表面用シート１０ａおよび裏面用シート１０ｂはそれらの両脇１１ａ、１１ｂをヒートシール、接着剤などにより互いに接合している。なお、上部の一辺は開いたままとして写真挿入口を形成している。このようにして、合成樹脂シート製の表裏面１０ａ、１０ｂからなり、一辺に写真挿入口を有するとともに残りの三辺が閉じられ四角形状をした本考案のプリント写真収納袋が形成される。このプリント写真収納袋を適宜着色したり、表面に印刷を施してもよい。
【００４０】
なお、折曲げおよび切離し可能な罫線１２を具備した合成樹脂シート製の１枚のシートを用いる代わりに、表面用シート１０ａおよび裏面用シート１０ｂの２枚の合成樹脂シート製のシートを用いてもよい。この場合には、表面用シート１０ａおよび裏面用シート１０ｂの２枚のシートの底辺部分（写真挿入口に対向する辺）をヒートシール、接着剤などにより互いに接合するとともに、この接合した底辺部分（写真挿入口に対向する辺）に平行に切離し用罫線を形成し、写真立て組立て時に表面用シート１０ａおよび裏面用シート１０ｂの底辺部分を切離せるようにする。
【００４１】
写真挿入口側の表面用シート１０ａの頭部は、図１（ａ）に示すように、辺２０迄となっている。一方、写真挿入口側の裏面用シート１０ｂの頭部は、図１（ｂ）に示すように、表面用シート１０ａの頭部（辺）２０を越えてフラップ１８を具備している。写真挿入口側の裏面用シート１０ｂの表面用シート１０ａの頭部（辺）２０に対応する箇所に折曲げ用罫線１９が形成されており、折曲げ用罫線１９に沿ってフラップ１８を、図１（ａ）において手前側に（谷側に）、図１（ｂ）においては奥側の（山側に）、折曲げることによりフラップ１８により写真挿入口を覆うことができる。
【００４２】
図１（ａ）、（ｂ）に示すように、表面用シート１０ａおよび裏面用シート１０ｂに写真挿入口に沿ってそれぞれ切離し用罫線１５、１６が形成されており、写真挿入口の外側部分１７、１８を切離し用罫線１５、１６に沿って切離し可能としている。また、写真挿入口の外側部分１７の両脇２１ａ、２１ｂをヒートシール、接着剤などにより互いに接合している。
【００４３】
図１（ａ）に示すように、表面用シート１０ａの写真挿入口側の切離し用罫線１５の中心部から切離し用罫線１５に直交して切離し用罫線１３が形成されており、後述のように、写真挿入口の外側部分１７、１８を切離し用罫線１５、１６に沿って切離した後に、表面用シート１０ａを切離し用罫線１３に沿って切離すことができるようになっている。
【００４４】
一方、図１（ｂ）に示すように、裏面用シート１０ｂの写真挿入口側の切離し用罫線１６の中心部から切離し用罫線１６に直交して折曲げ用罫線１４が形成されており、後述のように、写真挿入口の外側部分１７、１８を切離し用罫線１５、１６に沿って切離した後に、裏面用シート１０ｂを折曲げ用罫線１４に沿って手前側に（谷側に）折曲げることができるようになっている。
【００４５】
図１（ａ）に示すように、表面用シート１０ａには、切離し用罫線１３により互いに切離された面部分を互いに係合させる係合部が形成されている。
【００４６】
係合部は、互いに切離される表面用シート１０ａの切離し用罫線１３の右側に形成された第１の係合部、および互いに切離される表面用シート１０ａの切離し用罫線１３の左側形成された第２の係合部からなる。
【００４７】
第１の係合部は第１の半円状切込み２５ａ、２５ｂと第２の半円状切込み２６ａ、２６ｂとからなり、第１の半円状切込み２５ａ、２５ｂの端部を連結する第１の半径線は切離し用罫線１３に平行し、第２の半円状切込み２６ａ、２６ｂの端部を連結する第２の半径線は切離し用罫線１３に平行しており、第２の半径線が第１の半径線上に位置しており、第２の半円状切込み２６ａ、２６ｂは第１の半円状切込み２５ａ、２５ｂよりも小さい半径であり、第１の半円状切込み２６ａ、２６ｂと第２の半円状切込み２５ａ、２５ｂとは第１および第２の半径線に関して互いに逆の方向を向いている。
【００４８】
第２の係合部は、切離し用罫線１３に平行しており、第１の半円状切込み２５ａ、２５ｂの端部を連結する第１の半径線が通過する長さを有している。
【００４９】
図１（ａ）に示すように、表面用シート１０ａには、中央部が切離し用罫線１３に平行し且つ写真立てに装着するべき写真の高さに対応した長さを有し、上下の両端部が鍵の手状に曲がった写真係止用の切離し罫線２２ａ、２２ｂが形成されており、写真係止用の切離し罫線２２ａ、２２ｂに写真の端部を挿入して装着可能としている。写真係止用の切離し罫線２２ａ、２２ｂの鍵の手状に曲がった上下の両端部は折曲げ用罫線２３ａ、２３ｂ、２３ｃ、２３ｄにつながっている。
【００５０】
次に、図４を参照して、本考案のプリント写真収納袋を変化させて写真立てを作る手順を説明する。
【００５１】
まず、図４（ａ）に示すように、本考案に係るプリント写真収納袋を表面用シート１０ａを表向きとして置く。図４（ａ）に記入された○で囲まれた数字の順にプリント写真収納袋の表面用シート１０ａに形成された罫線（ミシン目）を切離す。すなわち、
（１）写真挿入口の外側部分１７、１８を切離し用罫線１５、１６に沿って切離す。
（２）写真挿入口の外側部分１７、１８を切離し用罫線１５、１６に沿って切離した後に、表面用シート１０ａを切離し用罫線１３に沿って切離す。
（３）表面用シート１０ａの切離し用罫線１３側を持ち上げ、
（４）写真係止用の切離し罫線２２ａ、２２ｂに沿って表面用シート１０ａをシート片１０ａ１、１０ａ２（図３参照）に切離す。
【００５２】
ついで、図４（ｂ）に示すように、切離し用罫線１３の両端部に連なる折曲げ用罫線２３ａ、２３ｂ、２３ｃ、２３ｄに沿って表面用シート１０ａのシート片１０ａ１、１０ａ２（図３参照）を外向きに折曲げる。
【００５３】
図４（ｃ）に示すように、係合部を係合させる。すなわち、切離し用罫線１３の両端部に連なり外向きに折曲げられている表面用シート１０ａを、図４（ｃ）に示すように、折曲げ用罫線２３ａ、２３ｂ、２３ｃ、２３ｄに沿って内向きに折曲げて、図３（ｂ）、（ｃ）に示すように、右側のシート片１０ａ２を左側のシート片１０ａ１の上に置く。
【００５４】
ついで、図３（ｄ）、（ｅ）に示すように、右側のシート片１０ａ２に形成された第１の半円状切込み２５を左側のシート片１０ａ１に形成された第２の係合部２７に通す。
【００５５】
更に、図３（ｆ）、（ｇ）に示すように、右側のシート片１０ａ２に形成された第２の半円状切込み２６を左側のシート片１０ａ１に形成された第２の係合部２７に通す。
【００５６】
以上により、表面用シート１０ａの上下に位置した左右のシート片１０ａ１、１０ａ２は下側に位置した左側のシート片１０ａ１に形成された第２の係合部２７を通過した第１の半円状切込み２５および第２の半円状切込み２６により恰もリベット締めされたようにして連結されるので、第１の係合部および第２の係合部がしっかりと係合し、簡単に外れることがない。
【００５７】
図２に、以上の手順により写真立てに組立てた状態の本考案の第１実施例を示しており、（ａ）は平面図を示し、（ｂ）は正面図を示している。
【００５８】
図２（ｂ）、図４（ｄ）に示すように、組立てた写真立ての写真係止用の切離し罫線２２ａ、２２ｂに写真３０挿入し装着することにより、プリント写真３０を写真立てに飾ることができる。
【００５９】
図５は本考案に係るプリント写真収納袋の第２実施例を示し、（ａ）はプリント写真収納袋の表面を示し、（ｂ）はプリント写真収納袋の裏面を示す。
【００６０】
図５においてプリント写真収納袋はポリエチレン、ポリプロピレン、ポリ塩化ビニルなどの合成樹脂シート製の１枚のシートを罫線１２に沿って２つに折曲げて（ａ）に示す表面用シート１０ａおよび（ｂ）に示す裏面用シート１０ｂとしている。
【００６１】
表面用シート１０ａおよび裏面用シート１０ｂはそれらの両脇１１ａ、１１ｂをヒートシール、接着剤などにより互いに接合している。なお、上部の一辺は開いたままとして写真挿入口を形成している。このようにして、合成樹脂シート製の表裏面１０ａ、１０ｂからなり、一辺に写真挿入口を有するとともに残りの三辺が閉じられ四角形状をした本考案のプリント写真収納袋が形成される。このプリント写真収納袋を適宜着色したり、表面に印刷を施してもよい。
【００６２】
写真挿入口側の表面用シート１０ａおよび裏面用シート１０ｂの頭部は、図５（ａ）に示すように、フラップ１８を具備しており、フラップ１８により写真挿入口を覆うことができる。
【００６３】
図５（ａ）、（ｂ）に示すように、表面用シート１０ａおよび裏面用シート１０ｂに写真挿入口に沿ってそれぞれ切離し用罫線１５、１６が形成されており、写真挿入口の外側のフラップ１８を切離し用罫線１５、１６に沿って切離し可能としている。
【００６４】
図５（ａ）に示すように、表面用シート１０ａの写真挿入口側の切離し用罫線１５の中心部から切離し用罫線１５に直交して２本の切離し用罫線１３が形成されており、写真挿入口の外側のフラップ１８を切離し用罫線１５、１６に沿って切離した後に、表面用シート１０ａを切離し用罫線１３に沿って切離すことができるようになっている。なお、前述のように１枚のシートを罫線１２に沿って２つに折曲げているが、２本の切離し用罫線１３の間の罫線１２は切離し用罫線となっていて、切離し用罫線１５、２本の切離し用罫線１３、１３および切離し用罫線１２に囲まれた部分を切離すことができる。
【００６５】
一方、図５（ｂ）に示すように、裏面用シート１０ｂの写真挿入口側の切離し用罫線１６の中心部から切離し用罫線１６に直交して折曲げ用罫線１４が形成されており、写真挿入口の外側のフラップ１８を切離し用罫線１５、１６に沿って切離した後に、裏面用シート１０ｂを折曲げ用罫線１４に沿って手前側に（谷側に）折曲げることができるようになっている。
【００６６】
また、裏面用シート１０ｂには、折曲げ用罫線１４の両側に、それぞれ写真立てに装着するべき写真３０の四隅部に対応した４つの位置に写真係止用の切込み３２が形成されており、図６に示すように写真係止用の切込み３２に写真の角部を装着可能としている。
【００６７】
図５（ａ）に示すように、表面用シート１０ａには、切離し用罫線１３により互いに切離された面部分にそれぞれ２本の切離し用罫線３１が横方向に形成されている。切離し用罫線３１に沿って横方向に切り離すことにより、左右２本の帯状体３３ａ、３３ｂが形成され、これらの帯状体３３ａ、３３ｂには互いに係合させる係合部が形成されている。
【００６８】
係合部は、互いに切離される表面用シート１０ａの切離し用罫線１３の右側に形成された第１の係合部、および互いに切離される表面用シート１０ａの切離し用罫線１３の左側形成された第２の係合部からなる。
【００６９】
第１の係合部は第１の半円状切込み２５ａ、２５ｂと第２の半円状切込み２６ａ、２６ｂとからなり、第１の半円状切込み２５ａ、２５ｂの端部を連結する第１の半径線は切離し用罫線１３に平行し、第２の半円状切込み２６ａ、２６ｂの端部を連結する第２の半径線は切離し用罫線１３に平行しており、第２の半径線が第１の半径線上に位置しており、第２の半円状切込み２６ａ、２６ｂは第１の半円状切込み２５ａ、２５ｂよりも小さい半径であり、第１の半円状切込み２６ａ、２６ｂと第２の半円状切込み２５ａ、２５ｂとは第１および第２の半径線に関して互いに逆の方向を向いている。
【００７０】
第２の係合部は、切離し用罫線１３に平行しており、第１の半円状切込み２５ａ、２５ｂの端部を連結する第１の半径線が通過する長さを有している。
【００７１】
写真挿入口の外側のフラップ１８を切離し用罫線１５、１６に沿って切離した後に、表面用シート１０ａを２本の切離し用罫線１３に沿って切離す。ついで、切離し用罫線３１に沿って横方向に切離し、左右２本の帯状体３３ａ、３３ｂを形成する。そして、裏面用シート１０ｂを折曲げ用罫線１４に沿って手前側に（谷側に）折曲げる。
【００７２】
図３および図４を参照して第１実施例につき説明したと同様にして、係合部を互いに係合させると、図６に示すような、中央部から折曲げられた写真立てが得られる。
【００７３】
この写真立ての表面（折曲げ用罫線が形成された面１０ｂ）には、前述のように折曲げ用罫線１４の両側にそれぞれ写真３０を装着する４つ切込みが形成されていて、この切込み３２に２枚の写真３０の角部を挿入して写真立てに装着して飾ることができる。
【００７４】
なお、第１実施例における裏面用シート１０ｂにも第２実施例の写真角部を装着するための写真係止用切込みを設けてもよく、この場合には第１実施例のものでは３枚の写真を飾ることができる。
【図面の簡単な説明】
【００７５】
【図１】本考案の第１実施例のプリント写真収納袋を示し、（ａ）はプリント写真収納袋の表面を示し、（ｂ）はプリント写真収納袋の裏面を示す。
【図２】本考案の第１実施例を写真立てに組立てた状態を示し、（ａ）は平面図を示し、（ｂ）は正面図を示す。
【図３】本考案の係合部の近傍のみを示し、（ａ）、（ｂ）、（ｄ）、（ｆ）は係合手順を時系列的に示す平面図であり、（ｃ）、（ｅ）、（ｇ）はそれぞれ（ｂ）、（ｄ）、（ｆ）を水平方向に切断し上から見た断面図であり、シートの厚さは誇張して示している。
【図４】本考案の第１実施例のプリント写真収納袋を写真立てに組立てる手順を、（ａ）、（ｂ）、（ｃ）、（ｄ）の順に時系列的に示す図である。
【図５】本考案に係るプリント写真収納袋の第２実施例を示し、（ａ）はプリント写真収納袋の表面を示し、（ｂ）はプリント写真収納袋の裏面を示す。
【図６】本考案に係るプリント写真収納袋の第２実施例のプリント写真収納袋を写真立てに組立てた状態を示す斜視図である。
【符号の説明】
【００７６】
１０ａ  表面用シート
１０ｂ  裏面用シート
１４    折曲げ用罫線
１５、１６  切離し用罫線
２２ａ、２２ｂ  切離し罫線
２３、２３ａ、２３ｂ、２３ｃ、２３ｄ  折曲げ用罫線
２５、２５ａ  第１の半円状切込み
２６  第２の半円状切込み
２７、２７ａ  第２の係合部
【図１】
0003148275.tif 000003
【図２】
0003148275.tif 000004
【図３】
0003148275.tif 000005
【図４】
0003148275.tif 000006
【図５】
0003148275.tif 000007
【図６】
0003148275.tif 000008
【手続補正書】
【提出日】平成20年11月5日(2008.11.5)
【手続補正１】
【補正対象書類名】明細書
【補正対象項目名】００３１
【補正方法】変更
【補正の内容】
【００３１】
特に、本考案のプリント写真収納袋の係合部が、第１の半円状切込みと第２の半円状切込みとからなる第１の係合部、および第１の半円状切込みの端部を連結する第１の半径線が通過する長さを有している第２の係合部を具備することにより、第１の係合部の第１の半円状切込みと第２の半円状切込みが第２の係合部を越えて突出し、恰もリベット締めした状態となるので、第１の係合部および第２の係合部がしっかりと係合し、簡単に外れることがない。
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
合成樹脂シート製の表裏面からなり、一辺に写真挿入口を有するとともに残りの三辺が閉じられた四角形状をした袋であり、
該袋の前記表裏面の一方の面には、前記写真挿入口側の一辺の中心部から該一辺に直交して折曲げ用罫線が形成され、
該袋の前記表裏面の他方の面には、前記折曲げ用罫線に対応する位置に前記写真挿入口側の前記一辺に直交して少なくとも１本の切離し用罫線が形成され、
該切離し用罫線により互いに切離される前記他方の面部分には、前記折曲げ用罫線に沿って折曲げられた該切離された面部分を互いに係合させる係合部が形成されていることを特徴とする写真立てに変化可能なプリント写真収納袋。
【請求項２】
前記係合部は、互いに切離される前記他方の面部分の一方に形成された第１の係合部、および互いに切離される前記他方の面部分の他方に形成され第１の係合部と係合する第２の係合部からなり、
第１の係合部は第１の半円状切込みと第２の半円状切込みとからなり、前記第１の半円状切込みの端部を連結する第１の半径線は前記切離し用罫線に平行し、該第２の半円状切込みの端部を連結する第２の半径線は前記切離し用罫線に平行しており、該第２の半径線が前記第１の半径線上に位置しており、前記第２の半円状切込みは第１の半円状切込みよりも小さい半径であり、前記第１の半円状切込みと第２の半円状切込みとは第１および第２の半径線に関して互いに逆の方向を向いており、
前記第２の係合部は、前記切離し用罫線に平行しており、前記第１の半円状切込みの端部を連結する第１の半径線が通過する長さを有していることを特徴とする請求項１に記載の写真立てに変化可能なプリント写真収納袋。
【請求項３】
合成樹脂シート製の表裏面からなり、一辺に写真挿入口を有するとともに残りの三辺が閉じられた四角形状をした袋であり、
該四角形状をした収納袋の閉じられた三辺のうちの写真挿入口に対向する辺に沿って切離し用罫線が形成されており、
該袋の前記表裏面の一方の面には、前記写真挿入口側の一辺の中心部から該一辺に直交して折曲げ用罫線が形成され、
該袋の前記表裏面の他方の面には、前記折曲げ用罫線に対応する位置に前記写真挿入口側の前記一辺に直交して少なくとも１本の切離し用罫線が形成され、
該切離し用罫線により互いに切離される前記他方の面部分には、前記折曲げ用罫線に沿って折曲げられた該切離された面部分を互いに係合させる係合部が形成されていることを特徴とする写真立てに変化可能なプリント写真収納袋。
【請求項４】
前記係合部は、互いに切離される前記他方の面部分の一方に形成された第１の係合部、および互いに切離される前記他方の面部分の他方に形成され第１の係合部と係合する第２の係合部からなり、
第１の係合部は第１の半円状切込みと第２の半円状切込みとからなり、前記第１の半円状切込みの端部を連結する第１の半径線は前記切離し用罫線に平行し、該第２の半円状切込みの端部を連結する第２の半径線は前記切離し用罫線に平行しており、該第２の半径線が前記第１の半径線上に位置しており、前記第２の半円状切込みは第１の半円状切込みよりも小さい半径であり、前記第１の半円状切込みと第２の半円状切込みとは第１および第２の半径線に関して互いに逆の方向を向いており、
前記第２の係合部は、前記切離し用罫線に平行しており、前記第１の半円状切込みの端部を連結する第１の半径線が通過する長さを有していることを特徴とする請求項３に記載の写真立てに変化可能なプリント写真収納袋。
【請求項５】
前記折曲げ用罫線が形成された面には、該折曲げ用罫線の両側にそれぞれ写真を装着する罫線が形成されていて２枚の写真が装着可能であることを特徴とする請求項１〜４の何れか１項に記載の写真立てに変化可能なプリント写真収納袋。
【請求項６】
互いに切離される前記他方の面部分の各々には前記切離し用罫線に平行して写真の高さに対応した写真係止用の切離し罫線が形成され、該写真係止用の切離し罫線に写真を装着可能としていることを特徴とする請求項３または４に記載の写真立てに変化可能なプリント写真収納袋。
【請求項７】
前記四角形状をした袋の写真挿入口の外側部分が切離し用罫線に沿って切離し可能であることを特徴とする請求項１〜６の何れか１項に記載の写真立てに変化可能なプリント写真収納袋。